(57)【特許請求の範囲】
【請求項１】
少なくとも前面側を除くその余の周面側を塞ぐことで仕切られた処理室を備えてなるフード本体を少なくとも備え、実験室の室内空間と面する前記前面側から前記処理室内に流入して取り込まれた空調空気を該処理室内で発生させた有害ガスを含む有害微細物質とともに前記フード本体の上面を塞ぐ天板部に設けられた通気口を介して強制的な空気引きを可能としたヒュームフードにおいて、
前記通気口の周縁部に位置する前記天板部上には、１以上の囲枠付きエアフィルタと前記通気口からの空気引きが可能な囲枠付きファンとをそれぞれの囲枠部を相手部位に対し気密状に当接させて囲枠体ユニットとして積み重ねられた状態での位置固定と、取出し・交換のためにその位置固定状態の解除とを自在とすべく、前記通気口の一側縁に沿わせた複数の近傍位置に配設される弾圧軸支ユニットと、各弾圧軸支ユニットにそれぞれの一端部側を上下方向への調整可能な弾圧力を伴った揺動を自在に軸支させて通気口の前記一側縁との対向する位置にある他側縁を越える長さが付与されて配設される複数本の支腕部と、その長さ方向での両端部に前記通気口の開口面方向を受け面とする受け片部を備えて前記支腕部のそれぞれの他端部側を連結する連結バーと、前記弾圧軸支ユニット近傍に付設された支持ピンを支点として前記通気口に覆設された前記囲枠ユニット側からのガスリークを阻止し得るようにやや押し込んで水平方向に各支腕部を位置させた際の前記受け片部のそれぞれの前記受け面への押圧付勢とその解除とを可能にして前記他側縁寄りの前記天板部上に配設される一対のクランプ体とで構成された囲枠体ユニット用着脱機構を配置し、
前記処理室内で発生する前記有害微細物質は、前記囲枠体ユニット用着脱機構を介して位置固定された前記囲枠体ユニットにおける前記囲枠付きファンにより空気引きされる流れに乗せて前記囲枠付きエアフィルタ内を強制的に通過させることで無害化し、流入して取り込まれた前記空調空気とともに前記室内空間側への還流を可能としたことを特徴とするヒュームフード。
【請求項２】
前記囲枠体ユニットにおける前記囲枠付きエアフィルタは、前記通気口の周縁部との対面部位にその囲枠部がパッキンを介して配置されるメインフィルタと、その上位方向に配置されるバックアップフィルタとの少なくとも２層以上のフィルタ層を備える請求項１に記載のヒュームフード。
【請求項３】
前記囲枠付きエアフィルタにおける前記メインフィルタと前記バックアップフィルタとは、前記メインフィルタが交換のために取り出された際、前記バックアップフィルタが新たなメインフィルタとして差替え配置され、新規のエアフィルタを前記バックアップフィルタとして用いる配置関係とした請求項２に記載のヒュームフード。
【請求項４】
前記弾圧軸支ユニットは、前記天板部上に直立させた支杆体と、該支杆体に遊挿させた介在昇降片と、該介在昇降片と前記支杆体の頂端部との間に抜脱困難に介在配置された圧縮用コイルスプリングとを備え、
前記支腕部は、それぞれの前記一端部を対応する前記介在昇降片に軸支させた請求項１ないし３のいずれかに記載のヒュームフード。
【請求項５】
前記クランプ体は、開閉操作用のレバー部と、該レバー部を閉操作した際に受け片部の前記受け面を押し下げてその位置を維持する押圧アーム部とを有する請求項１ないし４のいずれかに記載のヒュームフード。
【請求項６】
前記囲枠体ユニットは、その流路中に設置された少なくとも１以上のセンサを介して前記有害微細物質の成分検知を可能にして配置され、前記囲枠付きファンは、前記センサにより前記有害微細物質の存在が検知されない限りその駆動電源のＯＮ制御が維持され、前記センサにより前記有害微細物質の存在が検知された際にはその駆動電源のＯＦＦ制御を可能とすることで、前記有害微細物質が前記囲枠体ユニットを通過して前記室内空気内へと還流するのを阻止可能とした請求項１ないし５のいずれかに記載のヒュームフード。
【発明の詳細な説明】
【技術分野】
【０００１】
本発明は、フード本体の処理室内で発生させた有害ガスを含む有害微細物質を、実験室の室内空間側から処理室内に取り込まれた空調空気とともに無害化して実験室側に再度環流させるようにしたヒュームフードに関する技術である。
【背景技術】
【０００２】
ヒュームフード（ドラフトチャンバー）は、研究所などにおける実験室内で各種の化学実験を安全裡に行う際に必要な装置として用いられている。そして、ヒュームフードを構成しているフード本体は、その処理室の前面開口部を覆うサッシ窓を備えており、前記処理室内が陰圧雰囲気となるように空気引きすることで、例えば本願出願人が既に特許文献１として提案しているように、実験中に発生する有毒ガスを含む有害ガスを屋外に設置されている排気ガス洗浄装置等の浄化処理手段側へとフード本体の天板部側に配設した排気ダクトを介して強制的に排出することができるようになっている。
【先行技術文献】
【特許文献】
【０００３】
【特許文献１】特開２００９−９５７７１号公報
【０００４】
すなわち、上記特許文献１に記載のヒュームフードにおいては、前面開口部に沿っての昇降を自在に配設されたサッシ窓を備えており、該サッシ窓の開度の程度に応じてフード本体の処理室の前面開口部側から流入する空調空気の流れを均一化することで、処理室内で発生する有毒ガスを天井側に熱気を含む比較的軽い気体として滞留させたり、処理室の処理台上に比較的重い有害ガスを滞留させたりすることなく空調空気とともに円滑に排出させることができるようにして構成されている。
【発明の概要】
【発明が解決しようとする課題】
【０００５】
しかし、実験中に発生する有害ガスを屋外に設置されている排気ガス洗浄装置等の浄化処理手段側へとフード本体の天板部に配設した排気ダクトを介して強制的に排出処理する場合には、実験室の室内空間に供給されてフード本体の処理室の前面開口部から流入してしまう清浄な空調空気も有害ガスとともに屋外の浄化処理手段側へと排出されて無害化処理して大気中に放出されてしまうことから、その消費分を実験室の室内空間へと改めて空調空気を供給しなければならず、それだけ空調コストを増加させてしまう不都合があった。
【０００６】
本発明は、従来技術の上記課題に鑑み、フード本体の処理室内で発生させた有害ガスを含む有害微細物質を実験室側から流入する空調空気とともにフード本体の天板部に設置した囲枠体ユニット用着脱機構を介して位置固定されている囲枠体ユニットを通過させて無害化することで、再度、実験室の内部空間側へと還流させて空調空気を無駄なく利用できるようにしたヒュームフードを提供することに目的がある。
【課題を解決するための手段】
【０００７】
本発明は、上記目的を達成すべくなされたものであり、少なくとも前面側を除くその余の周面側を塞ぐことで仕切られた処理室を備えてなるフード本体を少なくとも備え、実験室の室内空間と面する前記前面側から前記処理室内に流入して取り込まれた空調空気を該処理室内で発生させた有害ガスを含む有害微細物質とともに前記フード本体の上面を塞ぐ天板部に設けられた通気口を介して強制的な空気引きを可能としたヒュームフードにおいて、
前記通気口の周縁部に位置する前記天板部上には、１以上の囲枠付きエアフィルタと前記通気口からの空気引きが可能な囲枠付きファンとをそれぞれの囲枠部を相手部位に対し気密状に当接させて囲枠体ユニットとして積み重ねられた状態での位置固定と、取出し・交換のためにその位置固定状態の解除とを自在とすべく、前記通気口の一側縁に沿わせた複数の近傍位置に配設される弾圧軸支ユニットと、各弾圧軸支ユニットにそれぞれの一端部側を上下方向への調整可能な弾圧力を伴った揺動を自在に軸支させて通気口の前記一側縁との対向する位置にある他側縁を越える長さが付与されて配設される複数本の支腕部と、その長さ方向での両端部に前記通気口の開口面方向を受け面とする受け片部を備えて前記支腕部のそれぞれの他端部側を連結する連結バーと、前記弾圧軸支ユニット近傍に付設された支持ピンを支点として前記通気口に覆設された前記囲枠ユニット側からのガスリークを阻止し得るようにやや押し込んで水平方向に各支腕部を位置させた際の前記受け片部のそれぞれの前記受け面への押圧付勢とその解除とを可能にして前記他側縁寄りの前記天板部上に配設される一対のクランプ体とで構成された囲枠体ユニット用着脱機構を配置し、
前記処理室内で発生する前記有害微細物質は、前記囲枠体ユニット用着脱機構を介して位置固定された前記囲枠体ユニットにおける前記囲枠付きファンにより空気引きされる流れに乗せて前記囲枠付きエアフィルタ内を強制的に通過させることで無害化し、流入して取り込まれた前記空調空気とともに前記室内空間側への還流を可能としたことを最も主要な特徴とする。
【０００８】
この場合、前記囲枠体ユニットにおける前記囲枠付きエアフィルタは、前記通気口の周縁部との対面部位にその囲枠部がパッキンを介して配置されるメインフィルタと、その上位方向に配置されるバックアップフィルタとの少なくとも２層以上のフィルタ層が形成されるように配置するのが好ましい。
【０００９】
また、前記囲枠付きエアフィルタにおける前記メインフィルタと前記バックアップフィルタとは、前記メインフィルタが交換のために取り出された際、前記バックアップフィルタが新たなメインフィルタとして差替え配置され、新規のエアフィルタを前記バックアップフィルタとして用いる配置関係とするのが望ましい。
【００１０】
【００１１】
また、前記弾圧軸支ユニットは、前記天板部上に直立させた支杆体と、該支杆体に遊挿させた介在昇降片と、該介在昇降片と前記支杆体の頂端部との間に抜脱困難に介在配置された圧縮用コイルスプリングとを備え、前記支腕部は、それぞれの前記一端部を対応する前記介在昇降片に軸支させさせるようにするのが好ましい。
【００１２】
さらに、前記クランプ体は、開閉操作用のレバー部と、該レバー部を閉操作した際に受け片部の前記受け面を押し下げてその位置を維持する押圧アーム部とを有するものを好適に用いることができる。
【００１３】
さらにまた、前記囲枠体ユニットは、その流路中に設置された少なくとも１以上のセンサを介して前記有害微細物質の成分検知を可能にして配置され、前記囲枠付きファンは、前記センサにより前記有害微細物質の存在が検知されない限りその駆動電源のＯＮ制御が維持され、前記センサにより前記有害微細物質の存在が検知された際にはその駆動電源のＯＦＦ制御を可能とすることで、前記有害微細物質が前記囲枠体ユニットを通過して前記室内空気内へと還流するのを阻止可能とするのが好ましい。
【発明の効果】
【００１４】
請求項１に係る発明によれば、フード本体の処理室内で発生させた有害ガスを含む有害微細物質を実験室側から流入する空調空気とともにフード本体の天板部上に設置した囲枠体ユニット用着脱機構を介して位置固定されている囲枠体ユニットを通過させて無害化することで、再度、実験室の室内空間側へと還流させて空調空気を無駄なく利用して空調コストの低減に有効に寄与させることができる。
【００１５】
また、囲枠体ユニットを構成する囲枠付きファンと１以上の囲枠付きエアフィルタとは、囲枠体ユニット用着脱機構を介することでガスリークのない囲枠ユニットとして位置固定したり、取出し・交換のためにその位置固定状態を解除することができるので、処理室内で行われる実験中に発生する有害微細物質の種類や成分等に応じたろ材材質を備えるエアフィルタへの交換も簡単、かつ、円滑に行うことができる。しかも、囲枠体ユニット用着脱機構は、これを具備させることで、囲枠体ユニットを天板部の通気口側に対面合致させて配置した後、クランプ体が生成する押圧力を連結バーが備える受け片部の受け面に作用させて支腕部を支点である支持ピンを介して水平方向に位置固定した状態のもとで囲枠側を通気口の周辺部に密に、かつ、均等に押し付けることができるので、ガスリークを発生させないようにして囲枠体ユニットをフード本体側に簡単に配置することができる。また、フード本体側から囲枠体ユニットを取り外す際には、クランプ体が生成する押圧力を単に解除することにより、支腕部を支点である支持ピンを介して跳ね上げ方向に揺動させて囲枠付きエアフィルタ側に作用させていた押圧力をなくすことで、囲枠体ユニット側を容易に引き出すことができる。
【００１６】
請求項２に係る発明によれば、囲枠体ユニットにおける囲枠付きエアフィルタは、メインフィルタとバックアップフィルタとの少なくとも２層以上のフィルタ層を備えているので、メインフィルタを有害微細物質の一部が吸着されずに通過してしまうことがあっても、次段に控えるバックアップフィルタにより確実に吸着させることができるので、取り込まれた空調空気をより無害化して室内空間側へと再度還流させることができる。
【００１７】
請求項３に係る発明によれば、囲枠付きエアフィルタにおけるメインフィルタとバックアップフィルタとは、当初のメインフィルタが交換のために取り出された際、従前のバックアップフィルタが新たなメインフィルタとして差替え配置され、新規のエアフィルタを新たなバックアップフィルタとして用いる配置関係がとられているので、メインフィルタとバックアップフィルタとを効率よく使用することで、安全性の向上とフィルタ交換に要するコストの削減とを同時に図ることができる。
【００１８】
【００１９】
【００２０】
請求項４に係る発明によれば、弾圧軸支ユニットが支杆体と介在昇降片と圧縮用コイルスプリングとで構成されているので、該圧縮用コイルスプリングの弾圧により支腕部の一端部側にも押し付け力を確実に作用させることができる。
【００２１】
請求項５に係る発明によれば、クランプ体として開閉操作用のレバー部と受け片部の受け面を押し下げてその位置を維持する押圧アーム部とを備えているので、単にレバー部を介して開閉操作することで、囲枠体ユニット側を簡単に着脱することができるほか、その取り付け時の状態を安定的に維持することもできる。
【００２２】
請求項６に係る発明によれば、囲枠体ユニットは、少なくとも１以上のセンサを介して有害微細物質の成分検知を可能にして配置され、囲枠付きファンは、有害微細物質の存在が検知されない限りその駆動電源のＯＮ制御が維持され、有害微細物質の存在が検知された際にはその駆動電源のＯＦＦ制御を可能とすることで、有害微細物質が囲枠体ユニットを通過して室内空気内へと入り込むのを確実に阻止することができるので、処理室内に流入して取り込まれた空調空気の再利用をより安全に行うことができる。
【図面の簡単な説明】
【００２３】
【図１】囲枠体ユニットをフード本体における天板部の通気口に取り付けた状態での本発明の一例を示す平面図。
【図２】図１におけるＡ−Ａ線矢視方向での一部を省略して示す縦断面図。
【図３】囲枠付きエアフィルタの交換手順例を示す（ａ）〜（ｃ）として示す説明図。
【図４】センサによる流入有害微細物質成分の検知状態との関係で囲枠付きファンの駆動電源のＯＮ／ＯＦＦ制御の処理手順例を示すフローチャート図。
【図５】本発明における弾圧軸支ユニットの部材構成例を一部を省略して示す説明図であり、そのうちの（ａ）は、側面方向からみた分解説明図を、（ｂ）は、正面方向からみた分解説明図をそれぞれ示す。
【図６】囲枠体ユニットを着脱する際の本発明における囲枠体ユニット用着脱機構の動きを示す側面図であり、そのうちの（ａ）は、天板部の通気口を塞ぐようにして囲枠体ユニットを位置固定した状態を、（ｂ）は（ａ）の状態を解除して囲枠体ユニット側を取り出す際の状態をそれぞれ示す。
【発明を実施するための形態】
【００２４】
本発明に係るヒュームフードは、少なくとも前面側を除くその余の周面側を塞ぐことで仕切られた処理室を備えてなるフード本体を少なくとも備え、実験室の室内空間と面する前記前面側から前記処理室内に流入して取り込まれた空調空気を該処理室内で発生させた有害ガスを含む有害微細物質（以下、単に「有害微細物質」という。）とともに前記フード本体の上面を塞ぐ天板部に設けられた開口部を介して強制的な空気引きを可能にして形成されている。
【００２５】
これを図１および図２に示す具体例に基づいて説明すれば、ヒュームフード１１は、天板部１４と左右の側板部１６，１７と背板部１８と図示しない処理台部とで仕切られた処理室１３の前面１３ａ側に位置する開口部１９にサッシ窓２０を配置してなるフード本体１２を備えて形成されている。
【００２６】
しかも、ヒュームフード１１は、実験室６１の室内空間６２と面する開口部１９側から処理室１３内に流入して取り込まれた空調空気を該処理室１３内で発生させた有害微細物質とともに天板部１４に設けられた略方形を呈する通気口１５を介して強制的な排出が可能となって形成されている。
【００２７】
この場合、通気口１５の周縁部に位置する天板部１４上には、１以上の囲枠付きエアフィルタ２４と通気口１５からの空気引きが可能な囲枠付きファン２３とをそれぞれの囲枠部２４ａ（２５ａ，２６ａ），２３ａを相手部位に対し気密状に当接させて囲枠体ユニット２２として積み重ねられた状態での位置固定と、取出し・交換のためにその位置固定状態の解除とが自在な囲枠体ユニット用着脱機構３２が配置されている。
【００２８】
しかも、処理室１３内で適宜の実験を行った際に発生する有害微細物質は、位置固定させてある囲枠体ユニット２２内を囲枠付きファン２４が生成する送風力を利用して強制的に通過させながら無害化した上で、開口部１９側から処理室１３内に流入した空調空気とともに室内空間６２側へと還流させることができるようになっている。
【００２９】
すなわち、天板部１４の通気口１５の周縁部を介して配置される囲枠体ユニット２２は、図２に示す例によれば、囲枠付きエアフィルタ２４の一つとして最下位に配置されるメインフィルタ２５と、該メインフィルタ２５上に配置される囲枠付きファン２３と、該囲枠付きファン２３上に同じく囲枠付きエアフィルタ２４の一つとして配置される第１のバックアップフィルタ２６と、該バックアップフィルタ２６上である最上位にこれも囲枠付きエアフィルタ２４の一つとして配置される第２のバックアップフィルタ２７とが積み上げられた４層構造のもとで形成されている。
【００３０】
この場合、囲枠体ユニット２２を構成している囲枠付きファン２３と囲枠付きエアフィルタ２４とは、それぞれが備えている囲枠部２３ａ，２４ａ（２５ａ，２６ａ）が相手部位に対し対面合致するように垂直方向に積み重ねて配置されることになる。
【００３１】
すなわち、囲枠付きエアフィルタ２４におけるメインフィルタ２５は、その囲枠部２５ａと天板部１４の通気口１５の周縁部との間にパッキン２９を介在させることで気密性を保持させて対面配置されることになる。このような気密性の保持は、メインフィルタ２５の囲枠部２５ａと囲枠付きファン２３の囲枠部２３ａとの間、囲枠付きファン２３の囲枠部２３ａと第１のバックアップフィルタ２６の囲枠部２６ａとの間、該第１のバックアップフィルタ２６の囲枠部２６ａと第２のバックアップフィルタ２７の囲枠部２７ａとの間のそれぞれにも、図示しないパッキンを介して対面配置することで付与できるようになっている。
【００３２】
また、囲枠付きエアフィルタ２４を構成しているメインフィルタ２５と第１のバックアップフィルタ２６と第２のバックアップフィルタ２６とについては、ある実験を行うことにより発生するであろう特定の有害微細物質を予め想定しておき、該有害微細物質との関係で最も好ましいタイプのものが適宜選択使用されることになる。この場合に使用されるフィルタとしては、ＨＥＰＡフィルタのほか、活性炭フィルタや化学的吸着性フィルタなど、その時々に発生する有害微細物質との関係で定まる適宜の吸着特性を備えるタイプのフィルタを選択することができる。
【００３３】
この場合、メインフィルタ２５と第１のバックアップフィルタ２６と第２のバックアップフィルタ２７とは、ある実験を行うことにより発生するであろう特定の有害微細物質との関係で定まる同一の特性を有するものを、例えば図３（ａ）に示すように配置して囲枠付きエアフィルタ２４として用いるようにするのが好ましい。なお、場合によっては、メインフィルタ２５と第１のバックアップフィルタ２６と第２のバックアップフィルタ２７として、それぞれが非同一の特性を有するものを組み合わせて用いることもできる。
【００３４】
囲枠付きエアフィルタ２４をこのようにして配置することにより、図３（ａ）中にＡとして示されている従来からあるメインフィルタ２５（囲枠付きエアフィルタ２４）に交換する必要が生じた場合には、該メインフィルタ２５を取り出し、その位置に従来からある第１のバックアップフィルタ２６（囲枠付きエアフィルタ２４）が図３（ｂ）に示すようにメインフィルタＢとして配置され、図３（ａ）ではＢとして示されているフィルタ位置には、第２のバックアップフィルタ２７（囲枠付きエアフィルタ２４）が第１のバックアップフィルタＣとして配置され、図３（ａ）ではＣとして示されているフィルタ位置には、新規の囲枠付きエアフィルタ２４が第２のバックアップフィルタＤとして図３（ｂ）に示すように配置されることになる。
【００３５】
また、図３（ｂ）中にメインフィルタＢとして示されている第１のバックアップフィルタ２６を交換する必要が生じた場合には、該バックアップフィルタ２６を取り出し、その位置に第２のバックアップフィルタ２７が図３（ｃ）に示すようにメインフィルタＣとして配置され、図３（ｂ）では第２のバックアップフィルタＤとして示されてたフィルタ位置には、新規の囲枠付きエアフィルタ２４が第２のバックアップフィルタＥとして図３（ｃ）に示すように配置されることになる。このような位置移動は、必要に応じて順次繰り返し行われることになる。
【００３６】
囲枠付きエアフィルタ２４をこのようなローテーションで順に交換していく場合には、安全性をより確実に高めることができるばかりでなく、エアフィルタを効率よく使用してその交換コストを低く抑えることができる。
【００３７】
また、囲枠体ユニット２２は、流路内に設置された少なくとも１以上のガスセンサなどからなる適宜のセンサ２８、図２に示す例では、囲枠付きファン２３側に設置された第１のセンサ２８ａと、最上位に位置する第２のバックアップフィルタ２７の出口側に設置された第２のセンサ２８ｂとを備えており、これらのセンサ２８ａ，２８ｂを介して流入する有害微細物質の成分を検知することができるようになっている。これらのセンサ２８ａ，２８ｂのうち、第１のセンサ２８ａとしては、有機系溶剤を検知できるタイプのものなど、発生する有害微細物質の種類に対応して検知できるタイプのものが、第２のセンサ２８ｂとしては、囲枠付きエアフィルタ２４側を通過しても吸着されなかった成分の有害微細物質を検知することができるタイプのものが、それぞれ選択使用されることになる。
【００３８】
また、囲枠付きファン２３は、センサ２８により検知された成分が無害な非有害微細物質と判定されればその駆動電源のＯＮ状態が継続され、検知された成分が有害微細物質であると判定されれば駆動電源がＯＦＦとされ、このようなＯＮ／ＯＦＦ制御により取り込まれた空調空気とともに有害微細物質が囲枠体ユニット２２側を経て室内空気６２内へと環流するのを阻止することができるようになっている。
【００３９】
図４は、この場合における囲枠付きファン２３の駆動電源のＯＮ／ＯＦＦ制御の処理手順例を示すフローチャート図であり、囲枠付きファン２３のスイッチをＯＮ操作した上で、処理室１３内で所定の実験が行われ、その際に有害微細物質が発生する。処理室１３内で発生した有害微細物質は、取り込まれた空調空気とともに囲枠付きファン２３に吸引されて天板部１４の通気口１５を経て囲枠体ユニット２２内へと流入する。
【００４０】
該囲枠体ユニット２２内には、センサ２８が設置されているので、流入した有害微細物質を検知することができる。通常は、流入した有害微細物質が囲枠付きエアフィルタ２４を経ることで吸着除去して無害化することができるので、囲枠付きファン２３もその駆動状態を持続して取り込まれた空調空気を室内空間６２側に還流させながら実験も継続されることになる。
【００４１】
しかし、何らかの都合でセンサ２８により有害微細物質の存在が検知された際には、ヒュームフード１１に設置されている表示ユニット７１が備えるアラームが鳴ると同時に警告も表示され、囲枠付きファン２３も駆動電源がＯＦＦとなって運転を停止し、実験も中止される。
【００４２】
そして、囲枠付きファン２３の駆動電源をＯＦＦとした状態のもとで、囲枠体ユニット用着脱機構３２を操作して囲枠体ユニット２２側の位置固定状態を解除し、囲枠付きエアフィルタ２４を最適なものに交換した上で、実験が再開されることになる。つまり、実験室６１の室内空間６２には、いったんは処理室１３内に取り込まれた空調空気も無害化された状態のもとで還流させることができることになる。
【００４３】
一方、上記した囲枠体ユニット用着脱機構３２の全体は、図１および図２に示されているように一対の弾圧軸支ユニット３３，３３と、該弾弾圧軸支ユニット３３側にその一端部４４側が各別に軸支された２本の支腕部４３と、これら支腕部４３の他端部４６側を一体的に連結する連結バー５３と、該連結バー５３側に対しその位置固定とその解除とに必要な一対のクランプ体６３，６３とで構成されている。
【００４４】
これらのうち、各弾圧軸支ユニット３３は、フード本体１２の天板部１４に設けられ、かつ、平面形状が略方形を呈して覆設される囲枠体ユニット２２側と略対面合致する面形状を呈する通気口１５の一側縁１５ａに沿わせた複数の近傍位置に配設されている。
【００４５】
これを図５（ａ），（ｂ）に基づいて詳しく説明すれば、弾圧軸支ユニット３３のそれぞれは、天板部１４上の囲枠体ユニット２２の高さとの関係で定まる適宜の座高が付与されて位置固定される支台３４を介して直立配置される支杆体３５と、該支杆体３５に遊挿配置される介在昇降片３６と、該介在昇降片３６と支杆体３５の頂端部３５ａとの間に抜脱困難に介在配置される圧縮用コイルスプリング３７とを備えて構成されている。
【００４６】
この場合、その頂端部３５ａに雄ねじ部（図示せず）が刻入されている支杆体３５には、介在昇降片３６と圧縮用コイルスプリング３７とを送り込み、該圧縮用コイルスプリング３７を上から抑える座金３８を配置した上で、例えばロックナットとして用いられる２個のナット３９を頂端部３５ａに刻入された雄ねじ部に螺合することで圧縮用コイルスプリング３７が抜脱困難に介在配置されることになる。
【００４７】
しかも、圧縮用コイルスプリング３７の圧縮の程度は、頂端部３５ａに刻入された図示しない雄ねじ部に対する２個のナット３９の螺合位置を変えることによりその強弱を調整することができるようになっている。
【００４８】
一方、支腕部４３は、各弾圧軸支ユニット３３側にそれぞれの一端部４４側が上下方向への弾圧を伴った揺動を可能に軸支され、かつ、通気口１５の一側縁１５ａとの対向する位置にある他側縁１５ｂを越える長さが付与された２本構成となって配設されている。
【００４９】
この場合、各支腕部４３の一端部４４は、介在昇降片３６を両側から抱持する通孔（図示せず）付きの一側連結片４５ａと他側連結片４５ｂとを備えた平面視略コ字形を呈する連結部４５として形成されており、一側連結片４５ａの側は介在昇降片３６に設けられた通孔３６ａを介して送り込まれる軸支杆４０を介在昇降片３６の内側に配置される止着材４１で止着し、他側連結片４５ｂの側も介在昇降片３６に対し同様に配置される軸支杆４０を止着材４１で止着することにより、介在昇降片３６に対し回動自在に連結されている。
【００５０】
また、各支腕部４３の他端部４６は、連結バー４８により一体的に連結されている。しかも、連結バー４８は、その長さ方向での両端部に通気口１５の開口面方向を受け面４９ａとする側面視略Ｌ字形を呈する受け片部４９を備えて形成されている。
【００５１】
しかも、支台３４の上面３４ａにあって支杆体３５の位置よりも内側に位置する部位には、支腕部４３の一端部４４側に対し支点として作用させるための支持ピン４２が直立配置されており、各支腕部４３は、通気口１５に覆設された囲枠体ユニット２２側からのガスリークを阻止し得るように、圧縮用コイルスプリング３７の付勢力に抗してやや押し込む位置にて水平方向に支持ピン４２を介して位置させることができるようになっている。なお、支持ピン４２の突出長は、支腕部４３が水平となって囲枠体ユニット２２における第２のバックアップフィルタ２７の囲枠部２７ａに均等に圧接できるように、該囲枠部２７ａの座高との関係で定まる適宜の長さとなっている。
【００５２】
クランプ体５３は、弾圧軸支ユニット３３近傍に付設された支持ピン４２を支点として通気口１５に覆設された囲枠体ユニット２２側からのガスリークを阻止し得るようにやや押し込むようにして受け片部４９のそれぞれの受け面４９ａの押圧付勢とその解除とを可能にして通気口１５の他側縁１５ｂ寄りの天板部１４上に各別に配設されている。
【００５３】
すなわち、各クランプ体５３は、天板部１４上に囲枠体ユニット２２側の高さとの関係で定まる長さが付与され立設された支台５７の上面５７ａ側に本体部５４が固定配置されている。そして、該本体部５４には、開閉操作用のレバー部５５が配設されており、該レバー部５５を閉操作した際に受け片部４９の受け面４９ａを押し下げてその位置を維持する押圧アーム部５６を備えているものを好適に用いることができる。
【００５４】
特にリンクと梃子の原理を利用して構成された「トグルクランプ」とも称されているものを用いる場合には、開閉操作のためのストロークを大きく確保することができるほか、小さな力で大きなクランプ力が得られ、かつ、フード本体１２側から反力を受けてもロックが自動解除されることはないので、より安定した状態のもとで好適に用いることができる。
【００５５】
次に、上記構成からなる本発明の作用・効果を図６を参酌して説明すれば、天板部１４の通気口１５の周縁部上には、パッキン２９を介在させた囲枠部２５ａを介して覆設されたメインフィルタ２５（囲枠付きエアフィルタ２４）と、囲枠部２５ａ，２３ａ相互が気密状態となってメインフィルタ２５上に積み重ねられた囲枠付きファン２４と、囲枠部２３ａ，２６ａ相互が気密状態となって囲枠付きファン２４上に積み重ねられた第１のバックアップフィルタ２６（囲枠付きエアフィルタ２４）と、囲枠部２６ａ，２７ａ相互が気密状態となって第１のバックアップフィルタ２６上に積み重ねられた第２のバックアップフィルタ２７（囲枠付きエアフィルタ２４）とで構成される囲枠体ユニット２２が配置され、図６（ａ）に示されているように、支腕部４３の他端部４７側を連結している連結バー４８が備える受け片部４９の受け面４９ａがクランプ体５３が生成する押圧力を受けて支点である支持ピン４２の突出長で定まる高さの水平方向にまで強制的に押し下げられる結果、支腕部４３も略水平状態となった状態で位置固定されることになる。
【００５６】
この場合、クランプ体５３が開閉操作用のレバー部５５と、該レバー部５５を閉操作した際に受け片部４９の受け面４９ａを押し下げてその位置を維持する押圧アーム部５６とを備えるものである場合には、連結バー４８側を手指で把持して押し上げながら押圧アーム部５６を受け面４９ａに接触させた上でレバー部５５を閉操作することにより、支腕部４３を水平状態にして簡単に位置固定することができる。
【００５７】
しかも、このとき、支腕部４３の一端部４４側は、支持ピン４２が支点となって梃子のように作用して介在昇降片３６と圧縮コイルスプリング３７とがその付勢力に抗して押し上げられるので、支腕部４３の一端部４４側に対し縮退した圧縮コイルスプリング３７による押し下げ方向での押圧力を作用させることができる結果、囲枠体ユニット２２側の各囲枠部２３ａ，２４ａ，２５ａ，２６ａ，２７ａにおける通気口１５の周縁部との対面部位の全体が強く押し付けられることになる。
【００５８】
このため、囲枠体ユニット２２の全体は、通気口１５の周縁部に対するだけでなく、各囲枠部２５ａ，２３ａ，２６ａ，２７ａ部分をも均等に圧接させて密着配置することができることから、通気口１５の周縁部や相互の囲枠状当接部位を封止してガスリークを発生させないようにして天板部１４上に配置することができることになる。
【００５９】
また、通気口１５３の周縁部に配置されている囲枠体ユニット２２側を交換等の必要から取り外す際には、図６（ｂ）に示されているように、連結バー４８の受け片部４９に対して作用させているクランプ体５３による押圧力を解除することにより、支持腕部４３の一端部４４側に常時作用している圧縮コイルスプリング３７による押し下げ方向での押圧力により、支持ピン４２を支点として支腕部４３の一端部４４を押し下げて他端部４６側を跳ね上げるように揺動させることができる。
【００６０】
この場合、クランプ体５３が開閉操作用のレバー部５５と、該レバー部５５を閉操作した際に受け片部４９の受け面４９ａを押し下げてその位置を維持する押圧アーム部５６とを備えるものである場合には、単にレバー部５５を開操作して押圧アーム部５６を受け面４９ａから待避させることにより、簡単に支持腕部４３を囲枠体ユニット２２側から解放することができる。
【００６１】
その結果、囲枠体ユニット２２は、それぞれの囲枠部２５ａ，２３ａ，２６ａ，２７ａ部分が通気口１４の周縁部側に強く押し付けられることがなくなり、図６（ｂ）に示す矢印方向へとメインフィルタ２５（囲枠付きエアフィルタ２４）、囲枠付きファン２３、第１のバックアップフィルタ２６（囲枠付きエアフィルタ２４）、第２のバックアップフィルタ２７（囲枠付きエアフィルタ２４）の別に容易に引き出すことができるので、交換等に必要な作業を円滑に遂行することができる。つまり、図３（ａ）〜（ｃ）に示すようなローテーションでのエアフィルタの交換作業を迅速に、かつ、簡便に行うことができることになる。なお、交換等をした後の囲枠体ユニット２２の全体は、上述した取り出し作業とは逆の手順を踏むことで、図６（ａ）に示す状態へと極く容易に再配置することができる。
【００６２】
このため、本発明によれば、フード本体１２の処理室１３内で発生させた有害微細物質を実験室６１側から取り込まれた空調空気とともにフード本体１２の天板部１４上に設置した囲枠体ユニット用着脱機構３２を介して位置固定されている囲枠体ユニット２２を通過させた際に吸着して無害化した空調空気として再度、実験室６１の室内空間６２側へと還流させて無駄なく利用することで、空調コストの低減に有効に寄与させることができる。
【００６３】
また、囲枠体ユニット２２を構成する囲枠付きファン２３と１以上の囲枠付きエアフィルタ２４とは、囲枠体ユニット用着脱機構３２を介することでガスリークをなくして簡単に位置固定することができるほか、処理室１３内で行われる実験中に発生する有害微細物質の種類等に応じたろ材材質を備える囲枠付きエアフィルタ２４への交換も円滑に行うことができる。
【００６４】
さらに、囲枠体ユニット用着脱機構３２は、弾圧軸支ユニット３３と複数本の支腕部４３と連結バー４８と一対のクランプ体５３，５３とを備えて形成されているので、囲枠体ユニット２２を天板部１４の通気口１５側に対面合致させて配置した上で、クランプ体５３が生成する押圧力を連結バー４８が備える受け片部４９の受け面４９ａに作用させることで、支腕部４３を支点である支持ピン４２を介して水平方向に位置固定した状態のもとでそれぞれの囲枠部２５ａ，２３ａ，２６ａ，２７ａ側を通気口１５の周縁部側に密に、かつ、均等に押し付けることができるので、ガスリークを発生させないようにして囲枠体ユニット２２をフード本体１２側に簡単に配置することができる。
【００６５】
また、フード本体１２側から囲枠体ユニット２２を取り外す際には、クランプ体５３が生成する押圧力を単に解除することにより、支腕部４３を支点である支持ピン４２を介して跳ね上げ方向に揺動させて囲枠体ユニット２２側に作用させていた押圧力をなくすことで、囲枠体ユニット２２側を容易に引き出して交換することができる。
【００６６】
また、弾圧軸支ユニット３３が支杆体３５と介在昇降片３６と圧縮用コイルスプリング３７とで構成されている場合には、該圧縮用コイルスプリング３７の弾圧により支腕部４３の一端部４４側にも押し付け力を確実に作用させることができる。
【００６７】
また、クランプ体５３が開閉操作用のレバー部５５と受け片部４９の受け面４９ａを押し下げてその位置を維持する押圧アーム部５６とを備えている場合には、単にレバー部５５を介して開閉操作することで、囲枠体ユニット２２側を簡単に着脱することができるほか、その取り付け時の状態を安定的に維持させることもできる。
【００６８】
また、囲枠体ユニット２２が通気口１５の周縁部と対面する部位にパッキン２９を介して配置されるメインフィルタ２５と、最上位に配置される例えば第２のバックアップフィルタ２７とを有する少なくとも２層以上のフィルタ層で構成される囲枠付きエアフィルタ２４と、該囲枠付きエアフィルタ２４におけるフィルタ層間に配置される囲枠付きファン２３とで構成されている場合には、その取り付け時にパッキン２９を介して通気口１５をより確実に封止することができるばかりでなく、処理室１３内で発生した有害微細物質は、囲枠付きファン２３を介して囲枠付きエアフィルタ２４内を強制的に通過させながら吸着して無害化した上で、取り込まれた空調空気とともに室内空間６２へと還流させることができる。
【００６９】
また、囲枠体ユニット２２が流路内に設置された少なくとも１以上のセンサ２８による流入した有害微細物質の検知を可能にして配置されている場合には、該センサ２８をにより流入した有害微細物質ガスの無害化の程度に応じて囲枠付きファン２３の駆動電源をＯＮ／ＯＦＦ制御することができるので、実験作業中の安全性をより高めてやることができる。
【００７０】
以上は、本発明を図示例に基づいて説明したものであり、その具体的な内容は、これに限定されるものではない。例えば、ヒュームフード１１におけるフード本体１２は、少なくとも前面側を除くその余の周面側が塞がれてさえいればその具体的な構造を問わない。また、フード本体１２の前面側に位置する開口部１９は、図示例のように昇降するサッシ窓２０によりその開度を調整できるようにしたり、左右方向に移動できる引き違い窓を設置したり、上縁部をフード本体１２側に軸支させることで、手前側に引いた際に開けることができる開閉窓を設置したりすることができるほか、塞ぐための窓を備えない常にオープンな状態としておくこともできる。
【００７１】
さらに、囲枠体ユニット２２を構成している囲枠付きエアフィルタ２４は、図示例のような３層となったフィルタ層のほか、メインフィルタ２５と第１のバックアップフィルタ２６もしくは第２のバックアップフィルタ２７との２層となったフィルタ層とすることもできる。また、弾圧軸支ユニット３３と支腕部４３とは、図示例では２カ所に配置されているが、囲枠体ユニット２２の面サイズとの関係で必要であれば、３カ所以上に設けるものであってもよい。さらに、クランプ体５３は、図示例以外にも、受け片部４９の受け面４９ａに押し下げ力を作用させてその状態を維持し得る構造を備えている適宜のものを用いることができる。
【符号の説明】
【００７２】
１１  ヒュームフード
１２  フード本体
１３  処理室
１３ａ  前面
１４  天板部
１５  通気口
１５ａ  一側縁
１５ｂ  他側縁
１６，１７  側板部
１８  背板部
１９  開口部
２０  サッシ窓
２２  囲枠体ユニット
２３  囲枠付きファン
２３ａ  囲枠部
２４  囲枠付きエアフィルタ
２４ａ  囲枠部
２５  メインフィルタ
２５ａ  囲枠部
２６  第１のバックアップフィルタ
２６ａ  囲枠部
２７  第２のバックアップフィルタ
２７ａ  囲枠部
２８（２８ａ，２８ｂ）センサ
２９  パッキン
３２  囲枠体ユニット用着脱機構
３３  弾圧軸支ユニット
３４  支台
３４ａ  上面
３５  支杆体
３５ａ  頂端部
３６  介在昇降片
３６ａ  通孔
３７  圧縮コイルスプリング
３８  座金
３９  ナット
４０  軸支杆
４１  止着材
４２  支持ピン
４３  支腕部
４４  一端部
４５  連結部
４５ａ  一側連結片
４５ｂ  他側連結片
４６  他端部
４８  連結バー
４９  受け片部
４９ａ  受け面
５３  クランプ体
５４  本体部
５５  レバー部
５６  押圧アーム部
５７  支台
５７ａ  上面
６１  実験室
６２  室内空間
７１  表示ユニット
【図１】
0005868077.tif 000002
【図２】
0005868077.tif 000003
【図３】
0005868077.tif 000004
【図４】
0005868077.tif 000005
【図５】
0005868077.tif 000006
【図６】
0005868077.tif 000007